(57)【要約】【課題】レーザ光を用いたコンテンツの高速なダウンロードを安全に且つ容易に行う。【解決手段】ＩＣカード１００１に予め付与された固有の識別情報が所定の閾値よりも小さな強度を有する光を用いて低速光送信部１０１６から送信され、当該識別情報がデータ書き込み装置１００２の低速光受信部１０２１にて受信された場合、受信された識別情報に応じてレーザ光を用いてコンテンツデータがレーザ光送信部１０２６からＩＣカード１００１へ送信される。【選択図】図１
2008153761.tif 000002
【特許請求の範囲】
【請求項１】
レーザ光を用いてコンテンツデータを送信するコンテンツ送信装置と、該コンテンツ送信装置から送信されたコンテンツデータを受信するコンテンツ受信装置とを有する光通信システムにおいて、
前記コンテンツ受信装置は、予め付与された固有の識別情報を所定の閾値よりも小さな強度を有する光を用いて送信し、
前記コンテンツ送信装置は、前記コンテンツ受信装置から前記光を用いて送信された前記識別情報を受信した場合、前記レーザ光を用いて前記コンテンツデータを前記コンテンツ受信装置へ送信することを特徴とする光通信システム。
【請求項２】
請求項１に記載の光通信システムにおいて、
前記コンテンツ送信装置は、前記コンテンツデータを所定の単位の単位データに予め分割して該単位データを組み立てるための管理情報を該単位データそれぞれに付与し、前記管理情報が付与された単位データを送信し、送信された単位データに付与された管理情報に応じた送達確認信号を受信する度に、受信した送達確認信号に含まれる管理情報に応じて前記単位データを順次送信し、
前記コンテンツ受信装置は、前記単位データを受信した場合、該単位データに付与された管理情報を含んだ前記送達確認信号を前記コンテンツ送信装置へ前記光を用いて送信することを特徴とする光通信システム。
【請求項３】
請求項１に記載の光通信システムにおいて、
前記コンテンツ受信装置は、
前記識別情報を前記光を用いて送信する位置情報送信部と、
前記レーザ光を用いて送信されたコンテンツデータを受信する高速光受信部とを有し、
前記コンテンツ送信装置は、
前記コンテンツ受信装置から前記光を用いて送信された識別情報を受信する位置情報受信部と、
前記レーザ光を用いて前記コンテンツデータを前記コンテンツ受信装置へ送信する高速光送信部とを有することを特徴とする光通信システム。
【請求項４】
請求項３に記載の光通信システムにおいて、
前記位置情報受信部は、所定の閾値よりも小さな強度を有する光を常時送信し、
前記位置情報送信部は、該光を受信した場合、前記識別情報を前記光を用いて送信することを特徴とする光通信システム。
【請求項５】
請求項３または請求項４に記載の光通信システムにおいて、
前記位置情報送信部と前記高速光受信部とは、前記コンテンツ受信装置の同一平面上に配置され、
前記位置情報受信部と前記高速光送信部とは、前記コンテンツ送信装置の同一平面上に配置され、
前記位置情報送信部と前記高速光受信部との位置と、前記位置情報受信部と前記高速光送信部との位置とは、互いに鏡面対称であることを特徴とする光通信システム。
【請求項６】
請求項５に記載の光通信システムにおいて、
前記位置情報送信部は、前記コンテンツ受信装置の同一平面上の非直線上に配置されることを特徴とする光通信システム。
【請求項７】
請求項６に記載の光通信システムにおいて、
前記位置情報送信部は、前記高速光受信部を中心に点対称である位置に配置されることを特徴とする光通信システム。
【請求項８】
レーザ光を用いてコンテンツデータを送信するコンテンツ送信装置と、該コンテンツ送信装置から送信されたコンテンツデータを受信するコンテンツ受信装置とを有する光通信システムにおいて、
前記コンテンツ受信装置は、光を反射させる光反射部を有し、
前記コンテンツ送信装置は、所定の閾値よりも小さな強度を有する光を送信し、該光が前記光反射部にて反射された光を受信した場合、前記レーザ光を用いて前記コンテンツデータを前記コンテンツ受信装置へ送信することを特徴とする光通信システム。
【請求項９】
レーザ光を用いてコンテンツデータを送信するコンテンツ送信装置と、該コンテンツ送信装置から送信されたコンテンツデータを受信するコンテンツ受信装置とを有する光通信システムにおいて、
前記コンテンツ受信装置は、予め設定された模様が表示されたマーカー部を有し、
前記コンテンツ送信装置は、画像を撮影する撮影部を有し、前記撮影部にて撮影された画像に前記模様が含まれている場合、前記レーザ光を用いて前記コンテンツデータを前記コンテンツ受信装置へ送信することを特徴とする光通信システム。
【請求項１０】
請求項１乃至９のいずれか１項に記載の光通信システムにおいて、
前記コンテンツ受信装置は、カード型の形状であることを特徴とする光通信システム。
【請求項１１】
レーザ光を受信する高速光受信部と、所定の閾値よりも小さな強度を有する光を送信する位置情報送信部とを有するコンテンツ受信装置へ前記レーザ光を用いてコンテンツデータを送信するコンテンツ送信装置であって、
前記コンテンツ受信装置から前記光を用いて送信された該コンテンツ受信装置に予め付与された固有の識別情報を受信した場合、前記レーザ光を用いて前記コンテンツデータを前記コンテンツ受信装置へ送信するコンテンツ送信装置。
【請求項１２】
請求項１１に記載のコンテンツ送信装置において、
前記コンテンツデータを所定の単位の単位データに予め分割して該単位データを組み立てるための管理情報を該単位データそれぞれに付与し、前記管理情報が付与された単位データを送信し、送信された単位データに付与された管理情報に応じた送達確認信号を受信する度に、受信した送達確認信号に含まれる管理情報に応じて前記単位データを順次送信することを特徴とするコンテンツ送信装置。
【請求項１３】
請求項１１に記載のコンテンツ送信装置において、
前記コンテンツ受信装置から前記光を用いて送信された識別情報を受信する位置情報受信部と、
前記レーザ光を用いて前記コンテンツデータを前記コンテンツ受信装置へ送信する高速光送信部とを有することを特徴とするコンテンツ送信装置。
【請求項１４】
請求項１３に記載のコンテンツ送信装置において、
前記位置情報受信部は、所定の閾値よりも小さな強度を有する光を常時送信することを特徴とするコンテンツ送信装置。
【請求項１５】
請求項１３または請求項１４に記載のコンテンツ送信装置において、
前記位置情報受信部と前記高速光送信部とは、該コンテンツ送信装置の同一平面上に配置され、
前記位置情報受信部と前記高速光送信部との位置は、前記位置情報送信部と前記高速光受信部との位置と互いに鏡面対称であることを特徴とするコンテンツ送信装置。
【請求項１６】
請求項１５に記載のコンテンツ送信装置において、
前記位置情報受信部は、該コンテンツ送信装置の同一平面上の非直線上に配置されることを特徴とするコンテンツ送信装置。
【請求項１７】
請求項１６に記載のコンテンツ送信装置において、
前記位置情報受信部は、前記高速光送信部を中心に点対称である位置に配置されることを特徴とするコンテンツ送信装置。
【請求項１８】
レーザ光を用いてコンテンツデータをコンテンツ受信装置へ送信するコンテンツ送信装置であって、
所定の閾値よりも小さな強度を有する光を送信し、該光が前記コンテンツ受信装置にて反射された光を受信した場合、前記レーザ光を用いて前記コンテンツデータを前記コンテンツ受信装置へ送信するコンテンツ送信装置。
【請求項１９】
レーザ光を用いてコンテンツデータをコンテンツ受信装置へ送信するコンテンツ送信装置であって、
画像を撮影する撮影部を有し、前記撮影部にて撮影された画像に予め設定された模様が含まれている場合、前記レーザ光を用いて前記コンテンツデータを前記コンテンツ受信装置へ送信するコンテンツ送信装置。
【請求項２０】
レーザ光を送信する高速光送信部と、所定の閾値よりも小さな強度を有する光を受信する位置情報受信部とを有するコンテンツ送信装置からレーザ光を用いて送信されたコンテンツデータを受信するコンテンツ受信装置であって、
予め付与された固有の識別情報を所定の閾値よりも小さな強度を有する光を用いて送信するコンテンツ受信装置。
【請求項２１】
請求項２０に記載のコンテンツ受信装置において、
前記コンテンツ送信装置から送信された単位データを受信した場合、該単位データに付与された該単位データを組み立てるための管理情報を含んだ送達確認信号を前記コンテンツ送信装置へ前記光を用いて送信することを特徴とするコンテンツ受信装置。
【請求項２２】
請求項２０に記載のコンテンツ受信装置において、
前記識別情報を前記光を用いて送信する位置情報送信部と、
前記レーザ光を用いて送信されたコンテンツデータを受信する高速光受信部とを有することを特徴とするコンテンツ受信装置。
【請求項２３】
請求項２２に記載のコンテンツ受信装置において、
前記位置情報送信部は、前記位置情報受信部から送信された所定の閾値よりも小さな強度を有する光を受信した場合、前記識別情報を前記光を用いて送信することを特徴とするコンテンツ受信装置。
【請求項２４】
請求項２２または請求項２３に記載のコンテンツ受信装置において、
前記位置情報送信部と前記高速光受信部とは、該コンテンツ受信装置の同一平面上に配置され、
前記位置情報送信部と前記高速光受信部との位置は、前記位置情報受信部と前記高速光送信部との位置と互いに鏡面対称であることを特徴とするコンテンツ受信装置。
【請求項２５】
請求項２４に記載のコンテンツ受信装置において、
前記位置情報送信部は、該コンテンツ受信装置の同一平面上の非直線上に配置されることを特徴とするコンテンツ受信装置。
【請求項２６】
請求項２５に記載のコンテンツ受信装置において、
前記位置情報送信部は、前記高速光受信部を中心に点対称である位置に配置されることを特徴とするコンテンツ受信装置。
【請求項２７】
請求項２０乃至２６のいずれか１項に記載のコンテンツ受信装置において、
カード型の形状であることを特徴とするコンテンツ受信装置。
【請求項２８】
レーザ光を用いてコンテンツデータを送信するコンテンツ送信装置と、該コンテンツ送信装置から送信されたコンテンツデータを受信するコンテンツ受信装置とを有する光通信システムにおける光通信方法であって、
前記コンテンツ受信装置が、予め付与された固有の識別情報を所定の閾値よりも小さな強度を有する光を用いて送信する処理と、
前記コンテンツ送信装置が、前記コンテンツ受信装置から前記光を用いて送信された前記識別情報を受信した場合、前記レーザ光を用いて前記コンテンツデータを前記コンテンツ受信装置へ送信する処理とを有する光通信方法。
【請求項２９】
請求項２８に記載の光通信方法において、
前記コンテンツ送信装置が、前記コンテンツデータを所定の単位の単位データに予め分割して該単位データを組み立てるための管理情報を該単位データそれぞれに付与する処理と、
前記コンテンツ送信装置が、前記管理情報が付与された単位データを送信する処理と、
前記コンテンツ受信装置が、前記単位データを受信した場合、該単位データに付与された管理情報を含んだ前記送達確認信号を前記コンテンツ送信装置へ前記光を用いて送信する処理と、
前記コンテンツ送信装置が、送信された単位データに付与された管理情報に応じた送達確認信号を受信する度に、受信した送達確認信号に含まれる管理情報に応じて前記単位データを順次送信する処理とを有することを特徴とする光通信方法。
【請求項３０】
請求項２８または請求項２９に記載の光通信方法において、
前記コンテンツ送信装置が、所定の閾値よりも小さな強度を有する光を常時送信する処理と、
前記コンテンツ受信装置が、該光を受信した場合、前記識別情報を前記光を用いて送信する処理とを有することを特徴とする光通信方法。
【請求項３１】
レーザ光を用いてコンテンツデータを送信するコンテンツ送信装置と、該コンテンツ送信装置から送信されたコンテンツデータを受信するコンテンツ受信装置とを有する光通信システムにおける光通信方法であって、
前記コンテンツ送信装置が、所定の閾値よりも小さな強度を有する光を送信する処理と、
該光が前記コンテンツ受信装置にて反射された光を前記コンテンツ送信装置が受信した場合、該コンテンツ送信装置が、前記レーザ光を用いて前記コンテンツデータを前記コンテンツ受信装置へ送信する処理とを有する光通信方法。
【請求項３２】
レーザ光を用いてコンテンツデータを送信するコンテンツ送信装置と、該コンテンツ送信装置から送信されたコンテンツデータを受信するコンテンツ受信装置とを有する光通信システムにおける光通信方法であって、
前記コンテンツ送信装置が、画像を撮影する処理と、
前記コンテンツ送信装置が、前記撮影された画像に予め設定された模様が含まれているかどうかを判断する処理と、
前記撮影された画像に前記模様が含まれていると判断された場合、前記コンテンツ送信装置が、前記レーザ光を用いて前記コンテンツデータを前記コンテンツ受信装置へ送信する処理とを有する光通信方法。
【発明の詳細な説明】
【技術分野】
【０００１】
本発明は、光信号を送受信することにより光通信を行う光通信システム、コンテンツ送信装置、コンテンツ受信装置及び光通信方法に関する。
【背景技術】
【０００２】
一般的に、好きな音楽を聴いたり、テレビで放映されているもの以外の見たい映画やドラマ等を鑑賞したりする場合、その音楽が収録されているＣＤや、映画やドラマ等が録画されているビデオやＤＶＤを入手して、それらを再生することにより楽しむことができる。
それらの入手方法は、購入やレンタルが用いられている。
【０００３】
また、インターネット等の情報通信ネットワークの発展に伴い、購入やレンタルの手間を省くために、情報通信ネットワークを用いて所望の音楽や映画、ドラマ等（以下、コンテンツと称する）を当該通信手段に接続されたパソコン等の通信機器にダウンロードする方法が多く取られている。
【０００４】
また、近年においては、情報通信ネットワークに、いつでも、どこからでもアクセスできる環境であるユビキタスが普及してきており、そのユビキタスを利用してコンテンツをダウンロードする技術が考えられている。例えば、コンテンツが、様々なコンテンツが格納されているサーバから、コンビニや駅のＫＩＯＳＫ端末に配信され、コンビニや駅のＫＩＯＳＫ端末に設けられた光送信機から当該コンテンツをＬＥＤ等が発光する可視光に乗せて送信することにより、当該光送信機にかざした携帯端末へダウンロードする技術が考えられている（例えば、非特許文献１参照。）。ここでは、光通信を行うことにより、ダウンロードにかかる時間の短縮化を図ることができる。
【０００５】
また、大容量のコンテンツのダウンロードには時間がかかるため、ダウンロードにかかる時間を可視光に乗せたコンテンツのダウンロードにかかる時間よりもさらに短縮するために、データ通信速度のさらなる高速化（Ｇｂ／ｓ伝送）が必要となってくる。
【０００６】
Ｇｂ／ｓ伝送を実現するためには、応答性及び光の利用効率に優れたレーザ光が用いられるものが考えられる。ここで、レーザ光を放射する場合、照射されたレーザ光が人の目に入らないような安全性の確保が必要となる。
【０００７】
そのため、レーザ光の放射パワーを大幅に低減させるか、微小な光源サイズを拡大する必要がある。そこで、放射パワーを維持しながら、光源サイズを目に安全なレベルまで拡大する手法として、拡散反射を用いたアイセーフ光学系、または、高速化において重要となる放射分布を均一化した高効率なビーム伝送のための光学系の開発が進められている（例えば、非特許文献２参照。）。ただし、このとき放射された光を光学的に操作するため、その影響について補償する仕組みが必要となる。
【非特許文献１】産学協同・可視光通信コンソーシアム  携帯・光タグＷＧ活動紹介  http://www.vlcc.net/working/keitai_wg.html
【非特許文献２】光無線通信システム推進協議会  ＴＯＰＩＣＳ−０４００２  光学・光伝搬の立場からの光ワイヤレス通信  http://www.icsa.gr.jp/topics/2004/index_04002.htm
【発明の開示】
【発明が解決しようとする課題】
【０００８】
しかしながら、非特許文献２に記載された技術においては、光学的に複雑な仕組みが必要となってしまうという問題点がある。
【０００９】
本発明は、上述したような従来の技術が有する問題点に鑑みてなされたものであって、レーザ光を用いたコンテンツの高速なダウンロードを安全に且つ容易に行うことができる光通信システム、コンテンツ送信装置、コンテンツ受信装置及び光通信方法を提供することを目的とする。
【課題を解決するための手段】
【００１０】
上記目的を達成するために本発明は、
レーザ光を用いてコンテンツデータを送信するコンテンツ送信装置と、該コンテンツ送信装置から送信されたコンテンツデータを受信するコンテンツ受信装置とを有する光通信システムにおいて、
前記コンテンツ受信装置は、予め付与された固有の識別情報を所定の閾値よりも小さな強度を有する光を用いて送信し、
前記コンテンツ送信装置は、前記コンテンツ受信装置から前記光を用いて送信された前記識別情報を受信した場合、前記レーザ光を用いて前記コンテンツデータを前記コンテンツ受信装置へ送信することを特徴とする。
【００１１】
また、前記コンテンツ送信装置は、前記コンテンツデータを所定の単位の単位データに予め分割して該単位データを組み立てるための管理情報を該単位データそれぞれに付与し、前記管理情報が付与された単位データを送信し、送信された単位データに付与された管理情報に応じた送達確認信号を受信する度に、受信した送達確認信号に含まれる管理情報に応じて前記単位データを順次送信し、
前記コンテンツ受信装置は、前記単位データを受信した場合、該単位データに付与された管理情報を含んだ前記送達確認信号を前記コンテンツ送信装置へ前記光を用いて送信することを特徴とする。
【００１２】
また、前記コンテンツ受信装置は、
前記識別情報を前記光を用いて送信する位置情報送信部と、
前記レーザ光を用いて送信されたコンテンツデータを受信する高速光受信部とを有し、
前記コンテンツ送信装置は、
前記コンテンツ受信装置から前記光を用いて送信された識別情報を受信する位置情報受信部と、
前記レーザ光を用いて前記コンテンツデータを前記コンテンツ受信装置へ送信する高速光送信部とを有することを特徴とする。
【００１３】
また、前記位置情報受信部は、所定の閾値よりも小さな強度を有する光を常時送信し、
前記位置情報送信部は、該光を受信した場合、前記識別情報を前記光を用いて送信することを特徴とする。
【００１４】
また、前記位置情報送信部と前記高速光受信部とは、前記コンテンツ受信装置の同一平面上に配置され、
前記位置情報受信部と前記高速光送信部とは、前記コンテンツ送信装置の同一平面上に配置され、
前記位置情報送信部と前記高速光受信部との位置と、前記位置情報受信部と前記高速光送信部との位置とは、互いに鏡面対称であることを特徴とする。
【００１５】
また、前記位置情報送信部は、前記コンテンツ受信装置の同一平面上の非直線上に配置されることを特徴とする。
【００１６】
また、前記位置情報送信部は、前記高速光受信部を中心に点対称である位置に配置されることを特徴とする。
【００１７】
また、レーザ光を用いてコンテンツデータを送信するコンテンツ送信装置と、該コンテンツ送信装置から送信されたコンテンツデータを受信するコンテンツ受信装置とを有する光通信システムにおいて、
前記コンテンツ受信装置は、光を反射させる光反射部を有し、
前記コンテンツ送信装置は、所定の閾値よりも小さな強度を有する光を送信し、該光が前記光反射部にて反射された光を受信した場合、前記レーザ光を用いて前記コンテンツデータを前記コンテンツ受信装置へ送信することを特徴とする。
【００１８】
また、レーザ光を用いてコンテンツデータを送信するコンテンツ送信装置と、該コンテンツ送信装置から送信されたコンテンツデータを受信するコンテンツ受信装置とを有する光通信システムにおいて、
前記コンテンツ受信装置は、予め設定された模様が表示されたマーカー部を有し、
前記コンテンツ送信装置は、画像を撮影する撮影部を有し、前記撮影部にて撮影された画像に前記模様が含まれている場合、前記レーザ光を用いて前記コンテンツデータを前記コンテンツ受信装置へ送信することを特徴とする。
【００１９】
また、前記コンテンツ受信装置は、カード型の形状であることを特徴とする。
【００２０】
また、レーザ光を受信する高速光受信部と、所定の閾値よりも小さな強度を有する光を送信する位置情報送信部とを有するコンテンツ受信装置へ前記レーザ光を用いてコンテンツデータを送信するコンテンツ送信装置であって、
前記コンテンツ受信装置から前記光を用いて送信された該コンテンツ受信装置に予め付与された固有の識別情報を受信した場合、前記レーザ光を用いて前記コンテンツデータを前記コンテンツ受信装置へ送信する。
【００２１】
また、前記コンテンツデータを所定の単位の単位データに予め分割して該単位データを組み立てるための管理情報を該単位データそれぞれに付与し、前記管理情報が付与された単位データを送信し、送信された単位データに付与された管理情報に応じた送達確認信号を受信する度に、受信した送達確認信号に含まれる管理情報に応じて前記単位データを順次送信することを特徴とする。
【００２２】
また、前記コンテンツ受信装置から前記光を用いて送信された識別情報を受信する位置情報受信部と、
前記レーザ光を用いて前記コンテンツデータを前記コンテンツ受信装置へ送信する高速光送信部とを有することを特徴とする。
【００２３】
また、前記位置情報受信部は、所定の閾値よりも小さな強度を有する光を常時送信することを特徴とする。
【００２４】
また、前記位置情報受信部と前記高速光送信部とは、該コンテンツ送信装置の同一平面上に配置され、
前記位置情報受信部と前記高速光送信部との位置は、前記位置情報送信部と前記高速光受信部との位置と互いに鏡面対称であることを特徴とする。
【００２５】
また、前記位置情報受信部は、該コンテンツ送信装置の同一平面上の非直線上に配置されることを特徴とする。
【００２６】
また、前記位置情報受信部は、前記高速光送信部を中心に点対称である位置に配置されることを特徴とする。
【００２７】
また、レーザ光を用いてコンテンツデータをコンテンツ受信装置へ送信するコンテンツ送信装置であって、
所定の閾値よりも小さな強度を有する光を送信し、該光が前記コンテンツ受信装置にて反射された光を受信した場合、前記レーザ光を用いて前記コンテンツデータを前記コンテンツ受信装置へ送信する。
【００２８】
また、レーザ光を用いてコンテンツデータをコンテンツ受信装置へ送信するコンテンツ送信装置であって、
画像を撮影する撮影部を有し、前記撮影部にて撮影された画像に予め設定された模様が含まれている場合、前記レーザ光を用いて前記コンテンツデータを前記コンテンツ受信装置へ送信する。
【００２９】
また、レーザ光を送信する高速光送信部と、所定の閾値よりも小さな強度を有する光を受信する位置情報受信部とを有するコンテンツ送信装置からレーザ光を用いて送信されたコンテンツデータを受信するコンテンツ受信装置であって、
予め付与された固有の識別情報を所定の閾値よりも小さな強度を有する光を用いて送信する。
【００３０】
また、前記コンテンツ送信装置から送信された単位データを受信した場合、該単位データに付与された該単位データを組み立てるための管理情報を含んだ送達確認信号を前記コンテンツ送信装置へ前記光を用いて送信することを特徴とする。
【００３１】
また、前記識別情報を前記光を用いて送信する位置情報送信部と、
前記レーザ光を用いて送信されたコンテンツデータを受信する高速光受信部とを有することを特徴とする。
【００３２】
また、前記位置情報送信部は、前記位置情報受信部から送信された所定の閾値よりも小さな強度を有する光を受信した場合、前記識別情報を前記光を用いて送信することを特徴とする。
【００３３】
また、前記位置情報送信部と前記高速光受信部とは、該コンテンツ受信装置の同一平面上に配置され、
前記位置情報送信部と前記高速光受信部との位置は、前記位置情報受信部と前記高速光送信部との位置と互いに鏡面対称であることを特徴とする。
【００３４】
また、前記位置情報送信部は、該コンテンツ受信装置の同一平面上の非直線上に配置されることを特徴とする。
【００３５】
また、前記位置情報送信部は、前記高速光受信部を中心に点対称である位置に配置されることを特徴とする。
【００３６】
また、カード型の形状であることを特徴とする。
【００３７】
また、レーザ光を用いてコンテンツデータを送信するコンテンツ送信装置と、該コンテンツ送信装置から送信されたコンテンツデータを受信するコンテンツ受信装置とを有する光通信システムにおける光通信方法であって、
前記コンテンツ受信装置が、予め付与された固有の識別情報を所定の閾値よりも小さな強度を有する光を用いて送信する処理と、
前記コンテンツ送信装置が、前記コンテンツ受信装置から前記光を用いて送信された前記識別情報を受信した場合、前記レーザ光を用いて前記コンテンツデータを前記コンテンツ受信装置へ送信する処理とを有する。
【００３８】
また、前記コンテンツ送信装置が、前記コンテンツデータを所定の単位の単位データに予め分割して該単位データを組み立てるための管理情報を該単位データそれぞれに付与する処理と、
前記コンテンツ送信装置が、前記管理情報が付与された単位データを送信する処理と、
前記コンテンツ受信装置が、前記単位データを受信した場合、該単位データに付与された管理情報を含んだ前記送達確認信号を前記コンテンツ送信装置へ前記光を用いて送信する処理と、
前記コンテンツ送信装置が、送信された単位データに付与された管理情報に応じた送達確認信号を受信する度に、受信した送達確認信号に含まれる管理情報に応じて前記単位データを順次送信する処理とを有することを特徴とする。
【００３９】
また、前記コンテンツ送信装置が、所定の閾値よりも小さな強度を有する光を常時送信する処理と、
前記コンテンツ受信装置が、該光を受信した場合、前記識別情報を前記光を用いて送信する処理とを有することを特徴とする。
【００４０】
また、レーザ光を用いてコンテンツデータを送信するコンテンツ送信装置と、該コンテンツ送信装置から送信されたコンテンツデータを受信するコンテンツ受信装置とを有する光通信システムにおける光通信方法であって、
前記コンテンツ送信装置が、所定の閾値よりも小さな強度を有する光を送信する処理と、
該光が前記コンテンツ受信装置にて反射された光を前記コンテンツ送信装置が受信した場合、該コンテンツ送信装置が、前記レーザ光を用いて前記コンテンツデータを前記コンテンツ受信装置へ送信する処理とを有する。
【００４１】
また、レーザ光を用いてコンテンツデータを送信するコンテンツ送信装置と、該コンテンツ送信装置から送信されたコンテンツデータを受信するコンテンツ受信装置とを有する光通信システムにおける光通信方法であって、
前記コンテンツ送信装置が、画像を撮影する処理と、
前記コンテンツ送信装置が、前記撮影された画像に予め設定された模様が含まれているかどうかを判断する処理と、
前記撮影された画像に前記模様が含まれていると判断された場合、前記コンテンツ送信装置が、前記レーザ光を用いて前記コンテンツデータを前記コンテンツ受信装置へ送信する処理とを有する。
【００４２】
上記のように構成された本発明においては、コンテンツ受信装置から予め付与された固有の識別情報が所定の閾値よりも小さな強度を有する光を用いて送信され、コンテンツ送信装置にて、当該識別情報が受信された場合、受信された識別情報に応じてレーザ光を用いてコンテンツデータがコンテンツ受信装置へ送信される。
【００４３】
これにより、コンテンツ受信装置がコンテンツ送信装置にて認識されない場合、コンテンツ送信装置からレーザ光が照射されることを防ぐことができる。
【発明の効果】
【００４４】
以上説明したように本発明においては、コンテンツ受信装置から予め付与された固有の識別情報を所定の閾値よりも小さな強度を有する光を用いて送信し、コンテンツ送信装置にて、当該識別情報が受信された場合、受信された識別情報に応じてレーザ光を用いてコンテンツデータをコンテンツ受信装置へ送信する構成としたため、コンテンツの高速なダウンロードをレーザ光を用いて安全に且つ容易に行うことができる。
【発明を実施するための最良の形態】
【００４５】
以下に、本発明の実施の形態について図面を参照して説明する。
（第１の実施の形態）
図１は、本発明の光通信システムの第１の実施の形態を示す図である。
【００４６】
本形態は図１に示すように、ＩＣカード１００１と、データ書き込み装置１００２とから構成されている。
【００４７】
ＩＣカード１００１は、利用者が携帯しているコンテンツ受信装置であり、携帯端末等の有形的な電子機器であっても良い。データ書き込み装置１００２は、コンテンツデータをレーザ光に乗せてＩＣカード１００１へ送信するコンテンツ送信装置である。
【００４８】
さらに、ＩＣカード１００１は、高速受信部１０１１と、データ書き込み部１０１２と、記憶部１０１３と、外部インタフェース部１０１４と、ＩＤ読み出し部１０１５と、低速光送信部１０１６とから構成されている。
【００４９】
高速光受信部１０１１は、データ書き込み装置１００２から送信されたレーザ光を受信する。データ書き込み部１０１２は、高速光受信部１０１１にて受信されたコンテンツデータを記憶部１０１３に書き込む。記憶部１０１３は、ＩＣカード１００１に予め付与された固有のＩＤ等の識別情報及びデータ書き込み部１０１２によって書き込まれたコンテンツデータを記憶する。外部インタフェース部１０１４は、記憶部１０１３に記憶されているコンテンツデータを外部装置（不図示）へ送信する。ＩＤ読み出し部１０１５は、記憶部１０１３に予め記憶されているＩＣカード固有のＩＤを読み出す。低速光送信部１０１６は、ＩＤ読み出し部１０１５によって記憶部１０１３から読み出されたＩＤを低速光に乗せてデータ書き込み装置１００２へ送信する位置情報送信部である。ここで、低速光とは光の強さが予め設定された閾値よりも小さな光であり、ここでは低速光送信部１０１６としてＬＥＤを使用する。
【００５０】
また、データ書き込み装置１００２は、低速光受信部１０２１と、外部インタフェース部１０２２と、記憶部１０２３と、ＩＤ判定部１０２４と、データ読み出し部１０２５と、レーザ光送信部１０２６とから構成されている。
【００５１】
低速光受信部１０２１は、ＩＣカード１００１の低速光送信部１０１６から送信された低速光を受信する位置情報受信部である。外部インタフェース部１０２２は、外部装置（不図示）からコンテンツデータを受信し、受信されたコンテンツデータを記憶部１０２３に書き込む。記憶部１０２３は、本システムを利用することができるＩＣカード１００１のＩＤ及び外部インタフェース部１０２２によって書き込まれたコンテンツデータを記憶する。ＩＤ判定部１０２４は、低速光受信部１０２１にて受信された低速光からＩＤを認識し、認識されたＩＤが記憶部１０２３に予め記憶されている利用者のＩＤにあるかどうかを判断し、認識されたＩＤが記憶部１０２３に予め記憶されている利用者のＩＤにあると判断された場合、データ読み出し部１０２５にコンテンツデータの読み出しを指示する。データ読み出し部１０２５は、ＩＤ判定部１０２４によってコンテンツデータの読み出しが指示された場合、記憶部１０２３からコンテンツデータを読み出す。レーザ光送信部１０２６は、データ読み出し部１０２５によって記憶部１０２３から読み出されたコンテンツデータをレーザ光に乗せてＩＣカード１００１へ送信する高速光送信部である。
【００５２】
なお、図１に示した形態においては、本発明に関する構成要素のみを示す。
【００５３】
以下に、図１に示した形態における光通信方法について説明する。
【００５４】
図２は、図１に示した光通信システムにおける光通信方法の一例を説明するためのシーケンス図である。
【００５５】
ここで、データ書き込み装置１００２からＩＣカード１００１へ電力を供給するための電磁波が常時発信されている。これは従来の方法によるものであり、ここでは詳細は説明しない。
【００５６】
ＩＣカード１００１がデータ書き込み装置１００２に近づいて電力が供給されて起動すると（ステップＳ１）、ＩＤ読み出し部１０１５によって記憶部１０１３に予め記憶されているＩＣカード１００１固有のＩＤが読み出される。読み出されたＩＤが低速光に乗せられて低速光送信部１０１６からデータ書き込み装置１００２へ送信される（ステップＳ２）。
【００５７】
一方、データ書き込み装置１００２の低速光受信部１０２１においては、低速光が受信されたかどうかが常時判断されており（ステップＳ３）、低速光送信部１０１６から送信された低速光が受信されたと判断された場合、受信された低速光に乗せられたＩＤがＩＤ判定部１０２４にて認識され、認識されたＩＤが記憶部１０２３に予め記憶されている利用者のＩＤにあるかどうかが判断される（ステップＳ４）。つまり、ＩＣカード１００１の認証が行われる。なお、このときのＩＣカード１００１とデータ書き込み装置１００２との位置関係については、後述する。
【００５８】
認識されたＩＤが記憶部１０２３に予め記憶されている利用者のＩＤにあると判断された場合、ＩＤ判定部１０２４によってデータ読み出し部１０２５に記憶部１０２３からのコンテンツデータの読み出しが指示される。そして、コンテンツデータの読み出しが指示されたデータ読み出し部１０２５によって、記憶部１０２３に記憶されているコンテンツデータが読み出される（ステップＳ５）。
【００５９】
データ読み出し部１０２５によって読み出されたコンテンツデータは、レーザ光送信部１０２６からレーザ光に乗せてＩＣカード１００１へ送信される（ステップＳ６）。このとき、送信すべきコンテンツデータすべてが送信されるまでレーザ光送信部１０２６からレーザ光が放射されるが、低速光受信部１０２１にて低速光が受信されていないと判断された時点で、レーザ光送信部１０２６からのレーザ光の放射が停止される。
【００６０】
レーザ光送信部１０２６から送信されたレーザ光が高速光受信部１０１１にて受信されると（ステップＳ７）、受信されたレーザ光に乗せられたコンテンツデータがデータ書き込み部１０１２によって記憶部１０１３に書き込まれる（ステップＳ８）。
【００６１】
その後、記憶部１０１３に書き込まれたコンテンツデータが外部インタフェース部１０１４から外部装置へ送信され、外部装置にて再生されることとなる。
【００６２】
一方、ステップＳ３にて低速光受信部１０２１において低速光が受信されていないと判断された場合、またはステップＳ４にて認識されたＩＤが記憶部１０２３に予め記憶されている利用者のＩＤには存在しないと判断された場合は、ステップＳ３の処理が再度行われる。
【００６３】
また、データ書き込み装置１００２からＩＣカード１００１へ送信されるコンテンツデータが、複数のデータに分割されて送信されるものであっても良い。
【００６４】
図３は、図１に示した光通信システムにおける光通信方法の他の例を説明するためのシーケンス図である。
【００６５】
ステップＳ１１〜Ｓ１４までの処理は、図２にて説明したステップＳ１〜Ｓ４までの処理と同様である。
【００６６】
ステップＳ１４にて、認識されたＩＤが記憶部１０２３に予め記憶されている利用者のＩＤにあると判断された場合、ＩＤ判定部１０２４によってデータ読み出し部１０２５にコンテンツデータの読み出しが指示される。ここでは、読み出されるコンテンツデータが予め複数の単位データに分割されており、分割されたコンテンツデータのうち１つの単位データの読み出しが指示される。なお、分割された単位データの大きさについては、ここでは規定しない。また、分割された単位データそれぞれにはシーケンス番号が予め付与されている。これは、単位データがシーケンシャルに読み出されて送信され、送信された単位データが受信された後、元のコンテンツデータに組み立てられるための管理情報である。そして、単位データの読み出しが指示されたデータ読み出し部１０２５によって、記憶部１０２３に記憶されているコンテンツデータのうち１つの単位データが付与されたシーケンス番号とともに読み出される（ステップＳ１５）。
【００６７】
データ読み出し部１０２５によって読み出された単位データはシーケンス番号とともに、レーザ光送信部１０２６からレーザ光に乗せてＩＣカード１００１へ送信される（ステップＳ１６）。
【００６８】
レーザ光送信部１０２６から送信されたレーザ光が高速光受信部１０１１にて受信されると（ステップＳ１７）、受信されたレーザ光に乗せられた単位データがデータ書き込み部１０１２によって記憶部１０１３に書き込まれる（ステップＳ１８）。
【００６９】
そして、単位データを受信した旨を通知するための送達確認信号であるＡＣＫ信号が低速光送信部１０１６から低速光に乗せて送信される（ステップＳ１９）。このＡＣＫ信号には、少なくとも単位データに付与されていたシーケンス番号が含まれている。これにより、このＡＣＫ信号が受信されたデータ書き込み装置１００２にて、次に送信すべき単位データを認識することができる。
【００７０】
低速光送信部１０１６から低速光に乗せて送信されたＡＣＫ信号が低速光受信部１０２１にて受信されると（ステップＳ２０）、受信されたＡＣＫ信号に含まれるシーケンス番号が１つインクリメントされたシーケンス番号が付与された単位データが記憶部１０２３に存在するかどうかがデータ読み出し部１０２５によって判断される（ステップＳ２１）。つまり、送信すべきコンテンツデータのうち、未送信の単位データが存在するかどうかが判断される。
【００７１】
受信されたＡＣＫ信号に含まれるシーケンス番号が１つインクリメントされたシーケンス番号が付与された単位データが記憶部１０２３に存在すると判断された場合、受信されたＡＣＫ信号に含まれるシーケンス番号が１つインクリメントされたシーケンス番号が付与された単位データが記憶部１０２３から読み出され、ステップＳ１５以降の処理が行われる。その後、受信されたＡＣＫ信号に含まれるシーケンス番号が１つインクリメントされたシーケンス番号が付与された単位データが記憶部１０２３に存在しないと判断されるまで、ステップＳ１５〜Ｓ２１までの処理が繰り返されることとなる。なお、シーケンス番号が１つずつデクリメントされて上述した処理が行われるものであっても良い。また、この管理情報がシーケンス番号のようにシーケンシャルに振られたものではない場合、所定の規則に基づいて更新されていく管理情報を用いるものであっても良い。
（第２の実施の形態）
図４は、本発明の光通信システムの第２の実施の形態を示す図である。
【００７２】
本形態は図４に示すように、コンテンツ受信装置であるＩＣカード１００３と、コンテンツ送信装置であるデータ書き込み装置１００４とから構成されている。
【００７３】
ＩＣカード１００３には、図１に示した第１の実施の形態にて説明したＩＣカード１００１の低速光送信部１０１６の代わりに低速光送受信部１０１７が設けられている。
【００７４】
低速光送受信部１０１７は、データ書き込み装置１００４から送信された低速光を受信し、ＩＤ読み出し部１０１５によって記憶部１０１３から読み出されたＩＤを低速光に乗せてデータ書き込み装置１００４へ送信する位置情報送信部である。
【００７５】
また、データ書き込み装置１００４には、図１に示した第１の実施の形態にて説明したデータ書き込み装置１００２の低速光受信部１０２１の代わりに低速光送受信部１０２７が設けられている。
【００７６】
低速光送受信部１０２７は、ＩＣカード１００３へ低速光を送信し、ＩＣカード１００３の低速光送受信部１０１７から送信された低速光を受信する位置情報受信部である。
【００７７】
以下に、図４に示した形態における光通信方法について説明する。
【００７８】
図５は、図４に示した光通信システムにおける光通信方法の一例を説明するためのシーケンス図である。
【００７９】
ここで、データ書き込み装置１００４の低速光送受信部１０２７から低速光が常時送信されている（ステップＳ３１）。この低速光送受信部１０２７から常時送信される低速光の強度は、予め設定された閾値よりも小さく、且つＩＣカード１００３が動作するための電力を供給するに十分な強度である。
【００８０】
ＩＣカード１００３をデータ書き込み装置１００４の上面（データ書き込み装置１００４の構造については後述する）にかざすことにより、低速光送受信部１０２７から送信された低速光がＩＣカード１００３の低速光送受信部１０１７にて受信されると（ステップＳ３２）、受信された低速光によってＩＣカード１００３が起動する（ステップＳ３３）。
【００８１】
ここで、低速光送受信部１０１７にて受信された低速光によってＩＣカード１００３に電力が供給されるものではなく、第１の実施の形態のように、データ書き込み装置１００４からＩＣカード１００３へ電力を供給するための電磁波が常時発信されており、その電磁波がＩＣカード１００３にて受信されることによりＩＣカード１００３が起動する従来の方法を利用するものであっても良い。
【００８２】
その後、ＩＤ読み出し部１０１５によって記憶部１０１３に予め記憶されているＩＣカード１００３固有のＩＤが読み出される。読み出されたＩＤが低速光に乗せられて低速光送受信部１０１７からデータ書き込み装置１００３へ送信される（ステップＳ３４）。
【００８３】
低速光送受信部１０１７から送信された低速光が低速光送受信部１０２７にて受信されたかどうかが判断され（ステップＳ３５）、低速光が低速光送受信部１０２７にて受信されたと判断された場合、受信された低速光に乗せられたＩＤがＩＤ判定部１０２４にて認識され、認識されたＩＤが記憶部１０２３に予め記憶されている利用者のＩＤにあるかどうかが判断される（ステップＳ３６）。つまり、ＩＣカード１００３の認証が行われる。
【００８４】
認識されたＩＤが記憶部１０２３に予め記憶されている利用者のＩＤにあると判断された場合、ＩＤ判定部１０２４によってデータ読み出し部１０２５に記憶部１０２３からのコンテンツデータの読み出しが指示される。そして、コンテンツデータの読み出しが指示されたデータ読み出し部１０２５によって、記憶部１０２３に記憶されているコンテンツデータが読み出される（ステップＳ３７）。
【００８５】
データ読み出し部１０２５によって読み出されたコンテンツデータは、レーザ光送信部１０２６からレーザ光に乗せてＩＣカード１００３へ送信される（ステップＳ３８）。このとき、送信すべきコンテンツデータすべてが送信されるまでレーザ光送信部１０２６からレーザ光が放射されるが、低速光送受信部１０２７にて低速光が受信されていないと判断された時点で、レーザ光送信部１０２６からのレーザ光の放射が停止される。
【００８６】
レーザ光送信部１０２６から送信されたレーザ光が高速光受信部１０１１にて受信されると（ステップＳ３９）、受信されたレーザ光に乗せられたコンテンツデータがデータ書き込み部１０１２によって記憶部１０１３に書き込まれる（ステップＳ４０）。
【００８７】
その後、記憶部１０１３に書き込まれたコンテンツデータが外部インタフェース部１０１４から外部装置へ送信され、外部装置にて再生されることとなる。
【００８８】
一方、ステップＳ３５にて低速光送受信部１０２７において低速光が受信されていないと判断された場合、またはステップＳ３６にて認識されたＩＤが記憶部１０２３に予め記憶されている利用者のＩＤには存在しないと判断された場合は、ステップＳ３１の処理に戻る。
【００８９】
また、データ書き込み装置１００４からＩＣカード１００２へ送信されるコンテンツデータが、複数のデータに分割されて送信されるものであっても良い。
【００９０】
図６は、図４に示した光通信システムにおける光通信方法の他の例を説明するためのシーケンス図である。
【００９１】
ステップＳ４１〜Ｓ４６までの処理は、図５にて説明したステップＳ３１〜Ｓ３６までの処理と同様である。
【００９２】
ステップＳ４６にて、認識されたＩＤが記憶部１０２３に予め記憶されている利用者のＩＤにあると判断された場合、ＩＤ判定部１０２４によってデータ読み出し部１０２５にコンテンツデータの読み出しが指示される。ここでは、読み出されるコンテンツデータが予め複数の単位データに分割されており、分割されたコンテンツデータのうち１つの単位データの読み出しが指示される。なお、第１の実施の形態と同様に、分割された単位データの大きさについては、ここでは規定しない。また、第１の実施の形態と同様に、分割された単位データそれぞれには管理情報であるシーケンス番号が予め付与されている。そして、単位データの読み出しが指示されたデータ読み出し部１０２５によって、記憶部１０２３に記憶されているコンテンツデータのうち１つの単位データが付与されたシーケンス番号とともに読み出される（ステップＳ４７）。
【００９３】
データ読み出し部１０２５によって読み出された単位データは付与されたシーケンス番号とともに、レーザ光送信部１０２６からレーザ光に乗せてＩＣカード１００３へ送信される（ステップＳ４８）。
【００９４】
レーザ光送信部１０２６から送信されたレーザ光が高速光受信部１０１１にて受信されると（ステップＳ４９）、受信されたレーザ光に乗せられた単位データがデータ書き込み部１０１２によって記憶部１０１３に書き込まれる（ステップＳ５０）。
【００９５】
そして、単位データを受信した旨を通知するための送達確認信号であるＡＣＫ信号が低速光送受信部１０１７から低速光に乗せて送信される（ステップＳ５１）。このＡＣＫ信号には、少なくとも単位データに付与されていたシーケンス番号が含まれている。これにより、このＡＣＫ信号が受信されたデータ書き込み装置１００４にて、次に送信すべき単位データを認識することができる。
【００９６】
低速光送受信部１０１７から低速光に乗せて送信されたＡＣＫ信号が低速光送受信部１０２７にて受信されると（ステップＳ５２）、受信されたＡＣＫ信号に含まれるシーケンス番号が１つインクリメントされたシーケンス番号が付与された単位データが記憶部１０２３に存在するかどうかがデータ読み出し部１０２５によって判断される（ステップＳ５３）。つまり、送信すべきコンテンツデータのうち、未送信の単位データが存在するかどうかが判断される。
【００９７】
受信されたＡＣＫ信号に含まれるシーケンス番号が１つインクリメントされたシーケンス番号が付与された単位データが記憶部１０２３に存在すると判断された場合、受信されたＡＣＫ信号に含まれるシーケンス番号が１つインクリメントされたシーケンス番号が付与された単位データが記憶部１０２３から読み出され、ステップＳ４７以降の処理が行われる。その後、受信されたＡＣＫ信号に含まれるシーケンス番号が１つインクリメントされたシーケンス番号が付与された単位データが記憶部１０２３に存在しないと判断されるまで、ステップＳ４７〜Ｓ５３までの処理が繰り返されることとなる。なお、シーケンス番号が１つずつデクリメントされて上述した処理が行われるものであっても良い。また、この管理情報がシーケンス番号のようにシーケンシャルに振られたものではない場合、所定の規則に基づいて更新されていく管理情報を用いるものであっても良い。
（第３の実施の形態）
図７は、本発明の光通信システムの第３の実施の形態を示す図である。
【００９８】
本形態は図７に示すように、コンテンツ受信装置であるＩＣカード１００５と、コンテンツ送信装置であるデータ書き込み装置１００６とから構成されている。
【００９９】
ＩＣカード１００５は、高速光受信部１０１１と、データ書き込み部１０１２と、記憶部１０１３と、外部インタフェース部１０１４と、光反射部１０１８とから構成されている。
【０１００】
高速光受信部１０１１、データ書き込み部１０１２、記憶部１０１３、及び外部インタフェース部１０１４は、図１に示したものと同様のものである。光反射部１０１８は、外部から放射された光を反射させる位置情報送信部であり、予め設定された特定の波長の光だけを反射させるものであっても良い。
【０１０１】
また、データ書き込み装置１００６には、図４に示した第２の実施の形態にて説明したデータ書き込み装置１００４のＩＤ判定部１０２４の代わりに判定部１０２８が設けられている。
【０１０２】
判定部１０２８は、低速光送受信部１０２７からＩＣカード１００５へ送信された低速光と、低速光送受信部１０２７にて受信された低速光とが同じものであるかどうかを判断する。
【０１０３】
以下に、図７に示した形態における光通信方法について説明する。
【０１０４】
図８は、図７に示した光通信システムにおける光通信方法の一例を説明するためのシーケンス図である。
【０１０５】
ここで、データ書き込み装置１００６の低速光送受信部１０２７から低速光が常時送信されている（ステップＳ６１）。ここで、低速光送受信部１０２７から送信される低速光は、光の強さが予め設定された閾値よりも小さな光である。そして、低速光送受信部１０２７から送信された低速光がＩＣカード１００５の光反射部１０１８にて反射し、反射した低速光が低速光送受信部１０２７にて受信されたかどうかが判定部１０２８にて判断される（ステップＳ６２）。つまり、低速光送受信部１０２７から送信された低速光が低速光送受信部１０２７にて受信されたかどうかが判断される。
【０１０６】
低速光送受信部１０２７から送信された低速光が低速光送受信部１０２７にて受信されたと判断された場合、判定部１０２８によってデータ読み出し部１０２５に記憶部１０２３からのコンテンツデータの読み出しが指示される。そして、コンテンツデータの読み出しが指示されたデータ読み出し部１０２５によって、記憶部１０２３に記憶されているコンテンツデータが読み出される（ステップＳ６３）。
【０１０７】
データ読み出し部１０２５によって読み出されたコンテンツデータは、レーザ光送信部１０２６からレーザ光に乗せてＩＣカード１００５へ送信される（ステップＳ６４）。このとき、送信すべきコンテンツデータすべてが送信されるまでレーザ光送信部１０２６からレーザ光が放射されるが、低速光送受信部１０２７にて低速光が受信されていないと判断された時点で、レーザ光送信部１０２６からのレーザ光の放射が停止される。
【０１０８】
レーザ光送信部１０２６から送信されたレーザ光が高速光受信部１０１１にて受信されると（ステップＳ６５）、受信されたレーザ光に乗せられたコンテンツデータがデータ書き込み部１０１２によって記憶部１０１３に書き込まれる（ステップＳ６６）。ここで、レーザ光送信部１０２６から送信されたレーザ光が高速光受信部１０１１にて受信されることにより、ＩＣカード１００５に電力が供給され、ＩＣカード１００５が起動するものであっても良い。
【０１０９】
その後、記憶部１０１３に書き込まれたコンテンツデータが外部インタフェース部１０１４から外部装置へ送信され、外部装置にて再生されることとなる。
【０１１０】
一方、ステップＳ６２にて低速光送受信部１０２７から送信された低速光が低速光送受信部１０２７にて受信されていないと判定された場合は、ステップＳ６１の処理に戻る。
（第４の実施の形態）
図９は、本発明の光通信システムの第４の実施の形態を示す図である。
【０１１１】
本形態は図９に示すように、コンテンツ受信装置であるＩＣカード１００７と、コンテンツ送信装置であるデータ書き込み装置１００８とから構成されている。
【０１１２】
ＩＣカード１００７には、図７に示した第３の実施の形態にて説明したＩＣカード１００５の光反射部１０１８の代わりにマーカー１０１９が設けられている。
【０１１３】
マーカー１０１９は、ＩＣカード１００７に印刷されたマークであり、予め設定されたＩＣカード１００７固有の模様である位置情報送信部である。例えば、ハートマークや星印等が考えられる。
【０１１４】
また、データ書き込み装置１００８には、図７に示した第３の実施の形態にて説明したデータ書き込み装置１００６の低速光送受信部１０２７の代わりに撮影部１０２９が、また、判定部１０２８の代わりにマーカー判定部１０３０が設けられている。
【０１１５】
撮影部１０２９は、ＩＣカード１００７に印刷されたマーカー１０１９を撮影するためのカメラ等の位置情報受信部である。マーカー判定部１０３０は、撮影部１０２９によって撮影された画像に、マーカー１０１９が含まれているかどうかを判断する。
【０１１６】
以下に、図９に示した形態における光通信方法について説明する。
【０１１７】
図１０は、図９に示した光通信システムにおける光通信方法の一例を説明するためのシーケンス図である。
【０１１８】
ここで、データ書き込み装置１００８の撮影部１０２９によって撮影が常時行われており（ステップＳ８１）、撮影された画像にマーカー１０１９が含まれているかどうかがマーカー判定部１０３０によって判断されている（ステップＳ８２）。このとき、予め設定された模様であるマーカー１０１９は、記憶部１０２３に予め記憶されており、マーカー判定部１０３０によって、記憶部１０２３から読み出されて、撮影された画像の中にマーカー１０１９が存在するかどうかが判断されるものであっても良い。
【０１１９】
撮影部１０２９によって撮影された画像にマーカー１０１９が含まれていると判断された場合、マーカー判定部１０３０によってデータ読み出し部１０２５に記憶部１０２３からのコンテンツデータの読み出しが指示される。そして、コンテンツデータの読み出しが指示されたデータ読み出し部１０２５によって、記憶部１０２３に記憶されているコンテンツデータが読み出される（ステップＳ８３）。
【０１２０】
データ読み出し部１０２５によって読み出されたコンテンツデータは、レーザ光送信部１０２６からレーザ光に乗せてＩＣカード１００７へ送信される（ステップＳ８４）。このとき、送信すべきコンテンツデータすべてが送信されるまでレーザ光送信部１０２６からレーザ光が放射されるが、撮影部１０２９によって撮影された画像にマーカー１０１９が含まれていないと判断された時点で、レーザ光送信部１０２６からのレーザ光の放射が停止される。
【０１２１】
レーザ光送信部１０２６から送信されたレーザ光が高速光受信部１０１１にて受信されると（ステップＳ８５）、受信されたレーザ光に乗せられたコンテンツデータがデータ書き込み部１０１２によって記憶部１０１３に書き込まれる（ステップＳ８６）。ここで、レーザ光送信部１０２６から送信されたレーザ光が高速光受信部１０１１にて受信されることにより、ＩＣカード１００７に電力が供給され、ＩＣカード１００７が起動するものであっても良い。
【０１２２】
その後、記憶部１０１３に書き込まれたコンテンツデータが外部インタフェース部１０１４から外部装置へ送信され、外部装置にて再生されることとなる。
【０１２３】
一方、ステップＳ８２にて撮影部１０２９によって撮影された画像にマーカー１０１９が含まれていないと判定された場合は、ステップＳ８１の処理に戻る。
【０１２４】
以上説明したように本発明においては、低速光や予め設定されたマーカーを用いて位置情報受信部を有するデータ書き込み装置にて位置情報送信部を有するＩＣカードの位置認識を行い、ＩＣカードの位置がレーザ光が送信可能な位置にあると判断された場合のみ、コンテンツデータが乗せられたレーザ光がデータ書き込み装置からＩＣカードへ送信される。
【０１２５】
次に、第１の実施の形態におけるＩＣカード１００１及びデータ書き込み装置１００２、並びに第２の実施の形態におけるＩＣカード１００３及びデータ書き込み装置１００４のそれぞれの位置関係及び構造について説明する。
【０１２６】
図１１は、図１に示したＩＣカード１００１とデータ書き込み装置１００２と間における低速光及びレーザ光の送受信の様子を示す図である。
【０１２７】
図１１に示すように、高速光受信部１０１１及び低速光送信部１０１６は、ＩＣカード１００１の裏面に配置されている。また、レーザ光送信部１０２６及び低速光受信部１０２１は、データ書き込み装置１００２の上面に配置されている。ここで、データ書き込み装置１００２の上面とは、データ書き込み装置１００２に対して利用者がＩＣカード１００１をかざす面である。このとき、ＩＣカード１００１の裏面に配置された高速光受信部１０１１と低速光送信部１０１６との位置が、データ書き込み装置１００２の上面に配置されたレーザ光送信部１０２６と低速光受信部１０２１との位置と鏡面対象であることが必要である。これらの構造を用いて、データ書き込み装置１００２の上面にＩＣカード１００１の裏面をかざすことにより、低速光送信部１０１６から送信された低速光が低速光受信部１０２１にて受信される位置において、レーザ光送信部１０２６から送信されたレーザ光が高速光受信部１０１１にて受信されることとなる。
【０１２８】
しかし、ＩＣカード１００１の裏面が、データ書き込み装置１００２の上面に対して傾けられた場合、以下に示す問題が生じる。
【０１２９】
図１２は、図１に示したＩＣカード１００１の裏面が、図１に示したデータ書き込み装置１００２の上面に対して傾けられた場合のＩＣカード１００１とデータ書き込み装置１００２と間における低速光及びレーザ光の送受信の様子を示す図である。
【０１３０】
図１２に示すように、ＩＣカード１００１の裏面が、データ書き込み装置１００２の上面に対して傾けられた場合、低速光送信部１０１６から送信された低速光が低速光受信部１０２１にて受信されたにもかかわらず、レーザ光送信部１０２６から送信されたレーザ光が高速光受信部１０１１にて受信されない虞がある。さらに、レーザ光送信部１０２６から送信されたレーザ光が高速光受信部１０１１だけではなく、ＩＣカード１００１から外れてしまうと、レーザ光送信部１０２６から送信されたレーザ光が外部に漏れてしまう。
【０１３１】
この問題を解決するために、ＩＣカード１００１の裏面と、データ書き込み装置１００２の上面とが平行な状態であることを検出する必要がある。そのためには、位置情報送信部である低速光送信部１０１６及び位置情報受信部である低速光受信部１０２１がＩＣカード１００１の裏面及びデータ書き込み装置１００２の上面に１つの直線上に無い、つまり非直線上の少なくとも３点にそれぞれ配置される必要がある。
【０１３２】
図１３は、図４に示したＩＣカード１００３とデータ書き込み装置１００４と間における低速光及びレーザ光の送受信の様子を示す図である。
【０１３３】
図１３に示すように、高速光受信部１０１１及び低速光送受信部１０１７は、ＩＣカード１００３の裏面に配置されている。また、レーザ光送信部１０２６及び低速光送受信部１０２７は、データ書き込み装置１００４の上面に配置されている。ここで、データ書き込み装置１００４の上面とは、データ書き込み装置１００４に対して利用者がＩＣカード１００３をかざす面である。このとき、ＩＣカード１００３の裏面に配置された高速光受信部１０１１と低速光送受信部１０１７との位置関係が、データ書き込み装置１００４の上面に配置されたレーザ光送信部１０２６と低速光送受信部１０２７との位置関係と面対象であることが必要である。これらの構造を用いて、データ書き込み装置１００４の上面にＩＣカード１００３の裏面をかざすことにより、低速光送受信部１０２７から送信された低速光が低速光送受信部１０１７にて受信される位置において、レーザ光送信部１０２６から送信されたレーザ光が高速光受信部１０１１にて受信されることとなる。
【０１３４】
しかし、ＩＣカード１００３の裏面が、データ書き込み装置１００４の上面に対して傾けられた場合、以下に示す問題が生じる。
【０１３５】
図１４は、図４に示したＩＣカード１００３の裏面が、図４に示したデータ書き込み装置１００４の上面に対して傾けられた場合のＩＣカード１００３とデータ書き込み装置１００４と間における低速光及びレーザ光の送受信の様子を示す図である。
【０１３６】
図１４に示すように、ＩＣカード１００３の裏面が、データ書き込み装置１００４の上面に対して傾けられた場合、低速光送受信部１０２７から送信された低速光が低速光送受信部１０１７にて受信された位置において、レーザ光送信部１０２６から送信されたレーザ光が高速光受信部１０１１にて受信されると同時に、高速光受信部１０１１にて反射されて外部に漏れてしまう虞がある。
【０１３７】
この問題を解決するために、ＩＣカード１００３の裏面と、データ書き込み装置１００４の上面とが平行な状態であることを検出する必要がある。そのためには、位置情報送信部である低速光送受信部１０１７及び位置情報受信部である低速光送受信部１０２７がＩＣカード１００３の裏面及びデータ書き込み装置１００４の上面に１つの直線上に無い少なくとも３点にそれぞれ配置される必要がある。
【０１３８】
以下に、上述した条件を満たす構造について、図１に示したＩＣカード１００１の裏面における低速光送信部１０１６及び高速光受信部１０１１の配置を代表例に挙げて説明する。
【０１３９】
図１５は、図１に示したＩＣカード１００１の裏面における低速光送信部１０１６及び高速光受信部１０１１の配置の一例を示す図である。
【０１４０】
図１５に示すようにＩＣカード１００１の裏面には高速光受信部１０１１が配置されており、また、１つの直線状には無い、つまり非直線上の３点に低速光送信部１０１６がそれぞれ配置されている。なお、図示していないが、データ書き込み装置１００２の上面には、ＩＣカード１００１の裏面における低速光送信部１０１６の位置と面対象の位置に低速光受信部１０２１が配置されている。これにより、３つの低速光送信部１０１６から送信された低速光が、それぞれに対応する３つの低速光受信部１０２１にてそれぞれ受信されたことが確認された場合のみ、つまり所定の３点にてＩＣカード１００１の位置の確認ができた場合のみ、レーザ光送信部１０２６からレーザ光が送信されれば、レーザ光送信部１０２６から送信されたレーザ光が外部に漏れることなく、高速光受信部１０１１にて受信される。また、これら３点にてＩＣカード１００１とデータ書き込み装置１００２との間の距離を測定し、測定された距離が３点にて同一である場合のみ、レーザ光送信部１０２６からレーザ光が送信されるものであっても良い。
【０１４１】
上述したＩＣカードの傾きを考慮した配置は、第４の実施の形態にも適用することが好ましいが、第３の実施に形態に適用する必要は無い。それは、図７に示した第３の実施の形態における光反射部１０１８は、光反射部１０１８に対して垂直に入射された光のみを垂直に反射させるからである。
【０１４２】
また、第１〜４の実施の形態において、ＩＣカードのかざす向きについても考慮が必要となる。図１に示した第１の実施の形態におけるＩＣカード１００１及びデータ書き込み装置１００２を例に挙げて説明する。
【０１４３】
図１６は、図１に示したＩＣカード１００１をデータ書き込み装置１００２にかざす向きが表示されたＩＣカード１００１の表面及びデータ書き込み装置１００２の上面の一例を示す図である。
【０１４４】
図１６に示すようにＩＣカード１００１の表面及びデータ書き込み装置１００２の上面に、ＩＣカード１００１をかざす向きが表示されている。このような表示があるものであれば良いが、表示がない場合、利用者がＩＣカード１００１をデータ書き込み装置１００２に対して逆さにかざしてしまう可能性がある。その場合、上述した３点での位置認識が不可能となってしまう。
【０１４５】
そこで、ＩＣカード１００１が逆さにかざされた場合であってもデータ書き込み装置１００２にて位置認識を可能とするために、低速光送信部１０１６及び高速光受信部１０１１の配置をさらに工夫する。
【０１４６】
図１７は、図１に示したＩＣカード１００１の裏面における低速光送信部１０１６及び高速光受信部１０１１の配置の他の例を示す図である。
【０１４７】
図１７に示すように、低速光送信部１０１６が高速光受信部１０１１を中心に点対称な４点に配置されている。なお、図示していないが、データ書き込み装置１００２の上面には、ＩＣカード１００１の裏面における低速光送信部１０１６の位置と面対象の位置に低速光受信部１０２１が配置されている。これにより、ＩＣカード１００１がデータ書き込み装置１００２に対して逆さにかざされた場合であっても位置認識が可能となる。
【０１４８】
次に、以上説明した光通信システムの実施例について説明する。ここでは、図１に示した光通信システムの第１の実施の形態が実施される場合を例に挙げて説明する。
【０１４９】
図１８は、図１に示した光通信システムの第１の実施の形態の実施の一例を示す図である。
【０１５０】
図１８に示すように図１に示した光通信システムは、近年駅の改札口にて利用されている、ＦｅｌｉＣａ（登録商標）技術方式を用いた非接触型ＩＣカードのＳｕｉｃａ（登録商標）のように、利用者がデータ書き込み装置１００２の横を通過しながらデータ書き込み装置１００２にＩＣカード１００１をかざして使用される。
【０１５１】
図１９は、図１に示した光通信システムの第１の実施の形態の実施の他の例を示す図である。
【０１５２】
図１９に示すように図１に示した光通信システムは、パソコン２０００に接続されたデータ書き込み装置１００２に利用者がＩＣカード１００１を置いて使用される。このとき、データ書き込み装置１００２が具備する低速光受信部１０２１及びレーザ光送信部１０２６以外の構成要素を、パソコン２０００が具備するものであってもかまわない。
【０１５３】
ここで、図１８に示した実施例において、利用者がデータ書き込み装置１００２の横を通過する速度が速い場合等、つまり、データ書き込み装置１００２によってＩＣカード１００１にコンテンツデータがすべて送信される前に、データ書き込み装置１００２によってＩＣカード１００１の位置が認識されなくなってしまう場合には、さらなる工夫が必要となる。これを考慮した形態を第５の実施の形態として説明する。
（第５の実施の形態）
図２０は、本発明の光通信システムの第５の実施の形態を示す図である。
【０１５４】
本形態は図２０に示すように、ＩＣカード１００１と、データ書き込み装置１００９とから構成されている。
【０１５５】
ＩＣカード１００１は、図１に示した第１の実施の形態にて説明したものと同様である。
【０１５６】
データ書き込み装置１００９は、複数の低速光受信部１０９１−１〜１０９１−ｎと、外部インタフェース部１０９２と、記憶部１０９３と、制御部１０９４と、データ読み出し部１０９５と、複数のレーザ光送信部１０９６−１〜１０９６−ｎと、スイッチ部１０９７とから構成されている。
【０１５７】
低速光受信部１０９１−１〜１０９１−ｎそれぞれは、図１に示した低速光受信部１０２１と同じものであるが、低速光受信部１０９１−１〜１０９１−ｎそれぞれは固有のＩＤ等の識別情報を有している。外部インタフェース部１０９２は、図１に示した外部インタフェース部１０２２と同じものである。記憶部１０９３は、図１に示した記憶部１０２３と同じものである。制御部１０９４は、低速光受信部１０９１−１〜１０９１−ｎのいずれかで低速光が受信されたかを判断し、受信されたと判断された低速光受信部１０９１−１〜１０９１−ｎの識別情報をスイッチ部１０９７へ出力する。データ読み出し部１０９５は、図１に示したデータ読み出し部１０２５と同じものであり、記憶部１０９３からコンテンツデータを読み出し、読み出されたコンテンツデータをスイッチ部１０９７へ出力する。レーザ光送信部１０９６−１〜１０９６−ｎそれぞれは、図１に示したレーザ光送信部１０２６と同じものであるが、それぞれが低速光受信部１０９１−１〜１０９１−ｎと対となって、低速光受信部１０９１−１〜１０９１−ｎがそれぞれ有する識別情報と同一の識別情報を有する。スイッチ部１０９７は、制御部１０９４から出力された識別情報に基づいて、データ読み出し部１０９５から出力されたコンテンツデータをレーザ光送信部１０９６−１〜１０９６−ｎのいずれか１つに出力する。なお、低速光受信部１０９１−１〜１０９１−ｎとレーザ光送信部１０９６−１〜１０９６−ｎとをそれぞれ対として光送受信群１０９９−１〜１０９９−ｎとする。
【０１５８】
図２１は、図２０に示したデータ書き込み装置１００９における光送受信群１０９９−１〜１０９９−ｎの配置の一例を示す図である。
【０１５９】
図２０に示したデータ書き込み装置１００９の上面には図２１に示すように、光送受信群１０９９−１〜１０９９−ｎが利用者の進行方向（矢印）に沿って一列に並んだ配置となっている。この配置を適用することにより、複数の光送受信群１０９９−１〜１０９９−ｎのレーザ光送信部１０９６−１〜１０９６−ｎのうちＩＣカード１００１の位置を認識した低速光受信部１０９１−１〜１０９１−ｎと対となったレーザ光送信部１０９６−１〜１０９６−ｎからコンテンツデータが送信される。したがって、利用者がデータ書き込み装置１００２の横を通過する速度が速い場合であっても、データ書き込み装置１００９からＩＣカード１００１へコンテンツデータが送信され続ける。つまり、ＩＣカード１００１を追従しながらコンテンツデータが送信される。
【０１６０】
また、図２０に示した光送受信部１０９９−１〜１０９９−ｎが、図２１に示すように一列に並んでいるものではなく、複数の列に並んでいるものであっても良い。
【０１６１】
図２２は、図２０に示したデータ書き込み装置１００９における光送受信群１０９９−１〜１０９９−ｎの配置の他の例を示す図である。
【０１６２】
図２０に示したデータ書き込み装置１００９の上面には図２２に示すように、光送受信部１０９９−１〜１０９９−ｎが利用者の進行方向（矢印）に沿って２列に並んだ配置となっている。また、３列以上であってもかまわない。
【０１６３】
以上説明した第５の実施の形態においては、例えば、レーザ光送信部１０９６−１からＩＣカード１００１へコンテンツデータが送信されている際に、低速光受信部１０９１−１にてＩＣカード１００１が認識されなくなった場合であっても、低速光受信部１０９１−２にてＩＣカード１００１が認識されれば、続きのコンテンツデータがレーザ光送信部１０９６−２から送信されるようにスイッチ部１０９７にてコンテンツデータの出力先がスイッチングされる。これにより、コンテンツデータすべてを送信し終わらないうちにコンテンツデータを送信することができなくなってしまう確率を軽減することができる。なお、第２〜４の実施の形態においても第５の実施の形態を適用することができることは言うまでもない。
【図面の簡単な説明】
【０１６４】
【図１】本発明の光通信システムの第１の実施の形態を示す図である。
【図２】図１に示した光通信システムにおける光通信方法の一例を説明するためのシーケンス図である。
【図３】図１に示した光通信システムにおける光通信方法の他の例を説明するためのシーケンス図である。
【図４】本発明の光通信システムの第２の実施の形態を示す図である。
【図５】図４に示した光通信システムにおける光通信方法の一例を説明するためのシーケンス図である。
【図６】図４に示した光通信システムにおける光通信方法の他の例を説明するためのシーケンス図である。
【図７】本発明の光通信システムの第３の実施の形態を示す図である。
【図８】図７に示した光通信システムにおける光通信方法の一例を説明するためのシーケンス図である。
【図９】本発明の光通信システムの第４の実施の形態を示す図である。
【図１０】図９に示した光通信システムにおける光通信方法の一例を説明するためのシーケンス図である。
【図１１】図１に示したＩＣカードとデータ書き込み装置と間における低速光及びレーザ光の送受信の様子を示す図である。
【図１２】図１に示したＩＣカードの裏面が、図１に示したデータ書き込み装置の上面に対して傾けられた場合のＩＣカードとデータ書き込み装置と間における低速光及びレーザ光の送受信の様子を示す図である。
【図１３】図４に示したＩＣカードとデータ書き込み装置と間における低速光及びレーザ光の送受信の様子を示す図である。
【図１４】図４に示したＩＣカードの裏面が、図４に示したデータ書き込み装置の上面に対して傾けられた場合のＩＣカードとデータ書き込み装置と間における低速光及びレーザ光の送受信の様子を示す図である。
【図１５】図１に示したＩＣカードの裏面における低速光送信部及び高速光受信部の配置の一例を示す図である。
【図１６】図１に示したＩＣカードをデータ書き込み装置にかざす向きが表示されたＩＣカードの表面及びデータ書き込み装置の上面の一例を示す図である。
【図１７】図１に示したＩＣカードの裏面における低速光送信部及び高速光受信部の配置の他の例を示す図である。
【図１８】図１に示した光通信システムの第１の実施の形態の実施の一例を示す図である。
【図１９】図１に示した光通信システムの第１の実施の形態の実施の他の例を示す図である。
【図２０】本発明の光通信システムの第５の実施の形態を示す図である。
【図２１】図２０に示したデータ書き込み装置における光送受信群の配置の一例を示す図である。
【図２２】図２０に示したデータ書き込み装置における光送受信群の配置の他の例を示す図である。
【符号の説明】
【０１６５】
１００１，１００３，１００５，１００７    ＩＣカード
１００２，１００４，１００６，１００８    データ書き込み装置
１０１１    高速光受信部
１０１２    データ書き込み部
１０１３，１０２３，１０９３    記憶部
１０１４，１０２２，１０９２    外部インタフェース部
１０１５    ＩＤ読み出し部
１０１６    低速光送信部
１０１７，１０２７    低速光送受信部
１０１８    光反射部
１０１９    マーカー
１０２１，１０９１−１〜１０９１−ｎ    低速光受信部
１０２４    ＩＤ判定部
１０２５，１０９５    データ読み出し部
１０２６，１０９６−１〜１０９６−ｎ    レーザ光送信部
１０２８    判定部
１０２９    撮影部
１０３０    マーカー判定部
１０９４    制御部
１０９７    スイッチ部
１０９９−１〜１０９９−ｎ    光送受信群
２０００    パソコン
【図１】
2008153761.tif 000003
【図２】
2008153761.tif 000004
【図３】
2008153761.tif 000005
【図４】
2008153761.tif 000006
【図５】
2008153761.tif 000007
【図６】
2008153761.tif 000008
【図７】
2008153761.tif 000009
【図８】
2008153761.tif 000010
【図９】
2008153761.tif 000011
【図１０】
2008153761.tif 000012
【図１１】
2008153761.tif 000013
【図１２】
2008153761.tif 000014
【図１３】
2008153761.tif 000015
【図１４】
2008153761.tif 000016
【図１５】
2008153761.tif 000017
【図１６】
2008153761.tif 000018
【図１７】
2008153761.tif 000019
【図１８】
2008153761.tif 000020
【図１９】
2008153761.tif 000021
【図２０】
2008153761.tif 000022
【図２１】
2008153761.tif 000023
【図２２】
2008153761.tif 000024